(57)【要約】【課題】一枚の袋を好適に取り出せる袋収容ケースを提供すること。【解決手段】袋収容ケースは、保持部と、壁部と、剥離機構と、操作部と、を備える。保持部は、積層された複数の袋を折り返して保持する。壁部は、前記袋を取り出す取り出し口を有する。剥離機構は、前記袋の折り返し部を剥離させる。操作部は、前記剥離機構を操作する。【選択図】      図４
2020202950.tif 000002
【特許請求の範囲】
【請求項１】
積層された複数の袋を折り返して保持する保持部と、
前記袋を取り出す取り出し口を有する壁部と、
前記袋の折り返し部を剥離させる剥離機構と、
前記剥離機構を操作する操作部と、
を備える袋収容ケース。
【請求項２】
前記保持部は、前記積層された複数の袋を折り返す軸を有し、
前記剥離機構は、前記軸とともに前記積層された複数の袋を挟持し、且つ、最外層の袋と当接するグリップ部材、及び、前記操作部の操作を伝達して前記グリップ部材を回転させる伝達機構を有する、
請求項１に記載の袋収容ケース。
【請求項３】
前記グリップ部材は、前記袋との摩擦力が前記袋同士の摩擦力よりも大きく設定される、請求項２に記載の袋収容ケース。
【請求項４】
前記軸は、前記取り出し口と対向して配置される、請求項２又は請求項３に記載の袋収容ケース。
【請求項５】
前記グリップ部材を前記袋に向かって付勢する付勢部材を備える、請求項２乃至請求項４のいずれか一項に記載の袋収容ケース。
【発明の詳細な説明】
【技術分野】
【０００１】
本発明の実施形態は、袋収容ケースに関する。
【背景技術】
【０００２】
顧客自身で会計処理を行う装置として、セルフチェックアウト装置や会計装置が知られている。例えば、セルフチェックアウト装置は、顧客自身で商品の情報を読み込ませて会計を行うための装置である。また、例えば、会計装置は、顧客自身が会計のみを行うための装置である。
【０００３】
このような装置を用いて会計処理を行った商品は、顧客が袋に商品を詰めて持ち帰る。このような袋は、所謂レジ袋と呼ばれ、例えば、案内担当の店員が顧客に手渡す運用が取られている。また、昨今においては、顧客自身が袋を取る運用とし、装置周辺に袋を吊り下げることも行われている。
【０００４】
また、衛生面を考慮して、サッカ台等の引き出し棚に積層した複数の袋を収容する技術や、積層した複数の袋を折り曲げてホルダに収容する技術も知られている。しかし、積層した袋を一枚だけつまんで取り出すことが難しく、一度に複数枚の袋が取り出されることがある。また、袋を取り出す取り出し装置も知られている。
【先行技術文献】
【特許文献】
【０００５】
【特許文献１】特開平１１−５９７５３号公報
【発明の概要】
【発明が解決しようとする課題】
【０００６】
本発明が解決しようとする課題は、一枚の袋を好適に取り出せる袋収容ケースを提供することである。
【課題を解決するための手段】
【０００７】
袋収容ケースは、保持部と、壁部と、剥離機構と、操作部と、を備える。保持部は、積層された複数の袋を折り返して保持する。壁部は、前記袋を取り出す取り出し口を有する。剥離機構は、前記袋の折り返し部を剥離させる。操作部は、前記剥離機構を操作する。
【図面の簡単な説明】
【０００８】
【図１】第１の実施形態に係る袋収容ケースの構成を示す斜視図。
【図２】同袋収容ケースの構成を示す斜視図。
【図３】同袋収容ケースの構成を示す断面図。
【図４】同袋収容ケースの要部構成を示す断面図。
【図５】同袋収容ケースの要部構成を示す斜視図。
【図６】同袋収容ケースに用いられる剥離装置の構成を示す正面図。
【図７】同剥離装置の構成を示す側面図。
【図８】同剥離装置を用いた動作の一例を示す説明図。
【図９】他の実施形態に係る剥離装置の構成を示す側面図。
【図１０】他の実施形態に係る袋収容ケースの構成を示す斜視図。
【発明を実施するための形態】
【０００９】
以下、第１の実施形態に係る袋収容ケース１について、図１乃至図８を用いて説明する。  
図１は、第１の実施形態に係る袋収容ケース１の構成を正面側から示す斜視図、図２は、袋収容ケース１の構成を背面側から示す斜視図、図３は袋収容ケース１の構成を示す断面図である。図４は、袋収容ケース１の筐体１１の第３壁部２３及び剥離装置１３の構成を示す断面図である。図５は、第３壁部２３の構成を示す斜視図である。図６は剥離装置１３の構成を示す正面図、図７は、剥離装置１３の構成を示す側面図である。図８は、剥離装置１３の動作の一例として、操作部６２の各回転方向における動作を説明する説明図である。
【００１０】
図１乃至図３に示すように、袋収容ケース１は、筐体１１と、保持具１２と、剥離装置１３と、を備えている。袋収容ケース１は、保持具１２により積層された複数の袋１００を保持した状態で、筐体１１内に複数の袋１００を取り出し可能に収容する。袋収容ケース１は、例えば、積層可能に形成される。
【００１１】
本実施形態において、袋１００は、所謂レジ袋である。袋１００は、本体部分１１１と、一対の持ち手１１２と、吊り下げ部１１３と、を備える。本体部分１１１は、一端が閉塞し、他端が開口する。本体部分１１１の閉塞する一端は、袋１００の底を形成する。なお、袋１００の底を構成する一端縁の延設方向を袋１００の幅方向として、以下説明する。
【００１２】
一対の持ち手１１２は、本体部分１１１の開口側の端部に一体に形成される。吊り下げ部１１３は、本体部分１１１の開口する一端であって、且つ、一対の持ち手１１２間に設けられる。吊り下げ部１１３は、例えば、孔１１３ａが形成される。
【００１３】
吊り下げ部１１３は、本体部分１１１から切り離し可能に、本体部分１１１に一体に設けられる。具体例として、本体部分１１１及び吊り下げ部１１３の境界には、本体部分１１１から吊り下げ部１１３を切り離すためのミシン目等が形成される。
【００１４】
このような袋１００は、例えば、図３に示すように、複数枚積層され、本体部分１１１で二つ折りされ、そして折り返し部１５０が保持具１２の後述する軸５１に保持され、そして、筐体１１内に収容される。
【００１５】
図１乃至図３に示すように、筐体１１は、一対の第１壁部２１と、一対の第２壁部２２と、第３壁部２３と、を備える。筐体１１は、例えば、一対の第１壁部２１、一対の第２壁部２２及び第３壁部２３により、一面が開口する矩形箱状に形成される。
【００１６】
一対の第１壁部２１は、例えば、二つ折りされた複数の袋１００を配置な間隔で対向する。より具体的には、二つ折りされた複数の袋１００を保持する保持具１２を配置可能な間隔で離間して対向する。
【００１７】
一対の第１壁部２１は、積層された複数の袋１００の積層方向で袋１００と対向する。換言すると、一対の第１壁部２１は、袋１００の本体部分１１１の主面と対向する。例えば、袋収容ケース１は、一対の第１壁部２１の一方が下方となるように設置面に載置され、これにより一対の第１壁部２１は、それぞれ袋収容ケース１の底壁及び天壁を構成する。
【００１８】
一対の第２壁部２２は、一対の第１壁部２１と連続する。一対の第２壁部２２は、収容された袋１００の幅方向で対向する。一対の第２壁部２２は、積層された複数の袋１００を配置可能に、袋１００の幅よりも広い間隔で離間して対向する。例えば、一対の第１壁部２１は、袋収容ケース１の側壁を構成する。
【００１９】
第３壁部２３は、その一部に取り出し口３１を有する。第３壁部２３は、一対の第１壁部２１及び一対の第２壁部２２と連続する。第３壁部２３は、例えば、一対の第１壁部２１の対向方向に対して傾斜する第１傾斜部３２と、一対の第１壁部２１の対向方向に対して傾斜するとともに、第１傾斜部３２の傾斜方向と異なる傾斜方向に傾斜する第２傾斜部３３と、を備える。以下、「一対の第１壁部２１の対向方向」を「第１方向」として説明する。なお、一対の第１壁部２１が底壁及び天壁を構成する場合には、第１方向は上下方向となる。
【００２０】
具体例として、取り出し口３１は、第１傾斜部３２に設けられる。取り出し口３１は、筐体１１に収容された積層された複数の袋１００と対向する。
【００２１】
取り出し口３１は、一対の第２壁部２２の対向方向に沿って延びる。以下、「一対の第２壁部２２の対向方向」を「第２方向」として説明する。なお、一対の第１壁部２１が底壁及び天壁を構成する場合には、第２方向は左右方向となる。取り出し口３１の長手方向の幅は、袋１００の幅よりも小さく設定される。また、取り出し口３１は、中央側が両端側よりも第１方向で大きく設定される。即ち、取り出し口３１は、第１方向において中央側が広く、そして両端側が狭い。即ち、取り出し口３１の短手方向の幅は、中央側と両端側で異なり、中央側の幅が両端側の幅よりも大きく設定される。また、取り出し口３１は、中央側の第１方向の幅が一定に設定されるとともに、両端側の第１方向の幅が一定に設定される。また、取り出し口３１は、角部が曲面状に形成される。
【００２２】
図４に示すように、取り出し口３１は、袋１００の幅によって、第２方向の長さ、即ち、長手方向の長さが設定される。具体例として、図１に示すように、取り出し口３１は、中央側に設けられた第１開口３１ａと、第１開口３１ａの第２方向で両端であって、且つ、第１方向で中央に連続する第２開口３１ｂと、により構成される。
【００２３】
例えば、第２方向の第１開口３１ａの幅は、袋１００の幅に関わらず、一定に形成される。
【００２４】
第２方向の第２開口３１ｂの幅は、袋１００の幅よりも小さい幅であって、且つ、袋１００の幅に基づいて適宜設定される。例えば、第２方向の第２開口３１ｂの幅は、袋１００の幅の関数に設定される。
【００２５】
第１傾斜部３２は、天壁を構成する第１壁部２１及び第２傾斜部３３と、第１方向で連続する。第２傾斜部３３は、底壁を構成する第１壁部２１及び第１傾斜部３２と、第１方向で連続する。即ち、第１傾斜部３２は、例えば、第２傾斜部３３よりも上方に位置する。
【００２６】
第１傾斜部３２及び第２傾斜部３３は、例えば、一対の第１壁部２１側から第１方向で中央側に向かって、第１壁部２１から離間する方向へ傾斜する。換言すると、第１傾斜部３２及び第２傾斜部３３は、第１方向の中央側で連続し、第１傾斜部３２及び第２傾斜部３３の連続する部位が筐体１１外方へ突出する。換言すると、第３壁部２３は、一対の第１壁部２１のそれぞれと、第１傾斜部３２及び第２傾斜部３３によって面取りされた形状に形成される。
【００２７】
なお、このような筐体１１は、例えば、一対の第１壁部２１及び一対の第２壁部２２が矩形筒状に一体成形されており、一対の第１壁部２１及び一対の第２壁部２２により構成される開口の一方を、第３壁部２３を形成するパネルにより覆うことで形成される。また、筐体１１は、第３壁部２３側が正面側を構成し、第３壁部２３と反対側の開口が背面側を構成する。
【００２８】
なお、筐体１１は、直方体状のフレームに、一対の第１壁部２１、一対の第２壁部２２及び第３壁部２３をそれぞれ形成するパネルを組み付けることで構成されていてもよい。また、筐体１１は、一対の第１壁部２１、一対の第２壁部２２及び第３壁部２３を一体成形することで形成してもよい。
【００２９】
図１乃至図３に示すように、保持具１２は、例えば、トレイ部４１と、保持部４２と、案内部４３と、を備えている。トレイ部４１は、例えば、一対の第１壁部２１及び一対の第２壁部２２と当接する矩形筒状に形成される。例えば、トレイ部４１は、上壁を構成する第１壁部２１と対向する壁部が開閉可能に構成される。なお、トレイ部４１は、上壁を構成する第１壁部２１と対向する壁部を有さなくてもよい。
【００３０】
トレイ部４１は、例えば、一対の第２壁部２２と対向する一対の壁部の内面間の幅が、袋１００の幅と同じ幅、又は、若干大きく形成される。トレイ部４１は、筐体１１の背面側の開口から差し込まれ、そして、取り出されることで、筐体１１に着脱可能に構成される。また、トレイ部４１は、保持部４２で保持した袋１００を収容し、そして、袋１００を取り出し可能に正面側及び背面側が開口する。
【００３１】
保持部４２は、例えば、トレイ部４１に設けられる。図３に示すように、保持部４２は、例えば、積層した複数の袋１００を二つ折りにした折り返し部１５０を支持する軸５１と、積層した複数の袋１００の一端側を支持する支持板５２と、積層した複数の袋１００の吊り下げ部１１３を引っ掛けて保持する吊り部５３と、軸５１を一方向に付勢する調整部材５４と、を備える。
【００３２】
軸５１は、例えば、第３壁部２３の取り出し口３１と対向して配置される。軸５１は、例えば、トレイ部４１に支持される。例えば、軸５１は、取り出し口３１に向かって移動可能にトレイ部４１に支持される。軸５１は、積層した複数の袋１００の二つ折りした本体部分１１１の折り返し部１５０が掛け回され、当該折り返し部１５０を内側から支持する。
【００３３】
支持板５２は、例えば、二つ折りした積層した複数の袋１００の底側を支持する。支持板５２は、トレイ部４１の筐体１１内に配置された状態における背面側の開口であって、且つ、軸５１よりも下方に配置される。支持板５２は、上面が底板となる第１壁部２１の主面に対して所定の角度に形成される。即ち、図３に示すように、支持板５２は、軸５１とともに、二つ折りした積層した複数の袋１００を支持することで、底壁となる第１壁部２１の主面に対して袋１００が所定の角度に傾斜させて積層した複数の袋１００を支持する。
【００３４】
吊り部５３は、二つ折りした積層した複数の袋１００の吊り下げ部１１３を保持する。例えば、吊り部５３は、トレイ部４１の上壁に設けられる。吊り部５３は、例えば、吊り下げ部１１３の孔１１３ａに挿入される筒状部５３ａと、孔１１３ａの内径よりも大径のフランジ５３ｂと、を有する。
【００３５】
吊り部５３は、筒状部５３ａを複数の袋１００の吊り下げ部１１３の孔１１３ａに挿入し、フランジ５３ｂで最内層の袋１００の吊り下げ部１１３を保持することで、二つ折りされた複数の袋１００の一端を保持する。なお、吊り部５３は、例えば、吊り下げ部１１３の孔１１３ａに挿入されるフックであってもよい。
【００３６】
調整部材５４は、例えば、軸５１を取り出し口３１に向かって一方向に押圧する付勢部材である。調整部材５４は、軸５１を取り出し口３１に向かって押圧することで、積層した複数の袋１００の残枚数が減少しても、最外層に位置する袋１００と取り出し口３１との位置関係を一定に保つ。調整部材５４は、例えば、軸５１を取り出し口３１に向かって押圧するコイルバネ等によって構成される。
【００３７】
このような保持部４２は、例えば、トレイ部４１上において、軸５１、支持板５２及び吊り部５３によって、二つ折りされた積層した複数の袋１００を３点支持し、取り出し口３１に対する位置を調整部材５４で調整する。
【００３８】
案内部４３は、トレイ部４１の軸５１よりもトレイ部４１の差し込み方向で先端側に設けられる。案内部４３は、トレイ部４１を筐体１１内に配置したときに、取り出し口３１及び軸５１の間に配置される。
【００３９】
案内部４３は、例えば、袋１００の幅方向に並んで配置された一対の小片４３ａにより構成される。例えば、一対の小片４３ａは、対向する幅が袋１００の幅と同じ幅から取り出し口３１の第２開口３１ｂの幅まで漸次減少して形成され、袋１００を取り出し口３１から取り出すときに、袋１００の幅方向の両端を取り出し口３１の第２開口３１ｂへ案内する。
【００４０】
図４乃至図７に示すように、剥離装置１３は、剥離機構６１と、操作部６２と、を備える。剥離装置１３は、操作部６２の操作によって、剥離機構６１を駆動させて、積層された袋１００のうち取り出し口３１と対向する袋１００の取り出し口３１に位置する部位を、隣り合う袋１００から剥離させる。
【００４１】
図４、図６及び図７に示すように、剥離機構６１は、フレーム７１と、回転軸７２と、操作ギア７３と、従動ギア７４と、加圧ギア７５と、ベルト７６と、加圧軸７７と、グリップ部材７８と、付勢部材７９と、を備えている。
【００４２】
フレーム７１は、例えば、一対設けられる。一対のフレーム７１は、一対の第２壁部２２の対向する面であって、且つ、第３壁部２３に隣接する位置にそれぞれ設けられる。各フレーム７１は、例えば、螺子等によって一対の第２壁部２２と所定の距離を開けて第２壁部２２に固定される。
【００４３】
フレーム７１は、例えば、回転軸７２及び従動ギア７４を回転可能に支持する。また、フレーム７１は、円弧状に延びる溝７１ａを有する。溝７１ａは、加圧軸７７を挿入可能、且つ、加圧軸７７を延び方向に沿って移動可能な形状に形成される。なお、溝７１ａは、袋収容ケース１に収容される最大枚数の袋１００の厚さから一枚の袋１００の厚さまで、袋１００の総厚さが減少したときに、加圧軸７７が袋１００に向かって移動可能な形状に形成される。また、溝７１ａは、加圧軸７７が袋１００の枚数に応じて各位置に位置したときに、ベルト７６のベルト長が変わらない形状に形成される。
【００４４】
回転軸７２は、操作部６２に接続される。また、回転軸７２は、操作ギア７３に接続される。具体例として、回転軸７２は、フレーム７１に挿通されるとともに、フレーム７１を挟んで一端側に操作部６２が固定され、他端側に操作ギア７３が固定される。また、回転軸７２は、操作ギア７３がフレーム７１及び第２壁部２２の間に位置するように、フレーム７１に支持される。
【００４５】
操作ギア７３は、例えば、回転軸７２にピン７２ａにより固定される。操作ギア７３は、回転軸７２の回転により回転する。従動ギア７４は、操作ギア７３及び溝７１ａと所定の距離だけ離間して配置される。加圧ギア７５は、加圧軸７７の一端に固定される。例えば、加圧ギア７５は、加圧軸７７にピン７７ａにより固定される。
【００４６】
ベルト７６は、操作ギア７３、従動ギア７４及び加圧ギア７５に渡って設けられる。ベルト７６は、所定の張力に設定される。ベルト７６は、操作ギア７３の回転により移動することで、加圧ギア７５を回転させる。即ち、操作ギア７３、従動ギア７４、加圧ギア７５及びベルト７６は、回転軸７２の回転を加圧軸７７に伝達して、加圧軸７７を回転させる伝達機構である。このような伝達機構は、操作ギア７３及び従動ギア７４がフレーム７１に固定され、そして、加圧軸７７に固定された加圧ギア７５は、溝７１ａに沿って加圧軸７７とともに移動する。
【００４７】
よって、伝達機構は、図７に示す実線及び二点鎖線で示すように、操作ギア７３、従動ギア７４及び加圧ギア７５の三点にてベルト７６を支持するが、この三点の位置関係は、袋１００の残枚数、即ち袋１００の総厚さによって変化する。
【００４８】
加圧軸７７は、両端が一対のフレーム７１の溝７１ａに移動及び回転可能に支持される。加圧軸７７は、一端に接続された加圧ギア７５が固定される。加圧軸７７は、袋１００の折り返し部１５０と対向して配置される。例えば、加圧軸７７は、袋１００の折り返し部１５０の下方に対向して配置される。
【００４９】
グリップ部材７８は、円筒状に形成される。加圧軸７７の袋１００と対向する部位の一部に設けられる。グリップ部材７８は、例えば、加圧軸７７に嵌合又は接着により固定される。例えば、グリップ部材７８は、図６に示すように、二つ設けられる。二つのグリップ部材７８は、所定の間隔を空けて加圧軸７７に固定される。グリップ部材７８は、グリップ部材７８と袋１００との摩擦力が袋１００同士の摩擦力よりも高くなる材料で形成される。例えば、グリップ部材７８は、ゴム材料により形成される。
【００５０】
付勢部材７９は、加圧軸７７を袋１００に向かって付勢する。付勢部材７９は、例えばトーションバネであり、一端がフレームに支持され、そして、他端が加圧軸７７に支持される。また、付勢部材７９は、二つ設けられ、加圧軸７７の両端を付勢する。付勢部材７９は、例えば、袋１００の枚数が減少し、加圧軸７７が袋１００に向かって移動すると、付勢力が低下する。付勢部材７９は、図７に示す矢印Ａに示すように、加圧軸７７を付勢し、加圧軸７７を溝７１ａに沿って移動させる。
【００５１】
操作部６２は、円板状に形成される。操作部６２は、例えば、第３壁部２３の外面から一部が突出する。なお、図５に示すように、第３壁部２３は、操作部６２が配置される部位に、操作部６２を一部露出可能な開口２３ａを有する。また、図５に示すように、第３壁部２３は、操作部６２の操作性向上のため、当該開口２３ａの周囲が窪む凹部２３ｂを有する。
【００５２】
次に、このように構成された袋収容ケース１を用いた袋１００の取り出しについて説明する。  
まず、図４に示すように、取り出し口３１に対向する最外層の袋１００は、隣り合う袋１００と密着した状態にある。また、このとき、加圧軸７７は、二つの付勢部材７９によって溝７１ａに沿う方向で袋１００の折り返し部１５０に向かって付勢している。このため、積層された複数の袋１００は、二つのグリップ部材７８によって図４及び図６の矢印Ｂに示すように軸５１に向かって押圧される。よって、積層された複数の袋１００は、軸５１及びグリップ部材７８によって狭持された状態にある。また、グリップ部材７８は、袋１００によって軸５１へ向かう移動が規制されることから、加圧軸７７は積層された袋１００の厚さに応じた溝７１ａの所定の位置に位置し、移動が規制される。
【００５３】
そして、第３壁部２３の外面側から操作部６２を一方向、例えば、図８の矢印Ｄ又は矢印Ｇで示す一方向へ回転操作すると、回転軸７２を介して操作ギア７３が回転する。操作ギア７３が回転すると、ベルト７６が移動し、従動ギア７４及び加圧ギア７５が回転する。加圧ギア７５の回転によって加圧軸７７及び加圧軸７７に固定されたグリップ部材７８が回転する。よって、軸５１及びグリップ部材７８により狭持された複数の袋１００のうち、グリップ部材７８と当接する取り出し口３１に対向する最外層の袋１００が移動する。これにより、グリップ部材７８と当接する袋１００は、折り返し部１５０で剥離する。
【００５４】
具体例を図８（Ｄ方向への操作）で説明すると、図８中矢印Ｄで示す方向に操作部６２を操作すると、ベルト７６によって加圧ギア７５が図８中矢印Ｅで示す方向に回転し、加圧軸７７及びグリップ部材７８も加圧ギア７５と同方向に回転する。そして、グリップ部材７８の回転によって、袋１００は、図８中矢印Ｆで示す方向に移動する。グリップ部材７８によりＦ方向に運ばれた袋１００は、図８（Ｄ方向への操作）に二点鎖線で示すように、隣り合う袋１００から剥離して緩み、取り出し口３１から浮き出る。
【００５５】
また、他の具体例を図８（Ｇ方向への操作）で説明すると、図８中矢印Ｇで示す方向に操作部６２を操作すると、ベルト７６によって加圧ギア７５が図８中矢印Ｈで示す方向に回転し、加圧軸７７及びグリップ部材７８も加圧ギア７５と同方向に回転する。そして、グリップ部材７８の回転によって、袋１００は、図８中矢印Ｋで示す方向に移動する。グリップ部材７８によりＫ方向に運ばれた袋１００は、図８（Ｇ方向への操作）に二点鎖線で示すように、隣り合う袋１００から剥離して緩み、取り出し口３１から浮き出る。
【００５６】
これらのように、グリップ部材７８によりＦ方向又はＫ方向に運ばれ、そして、取り出し口３１から浮き出た袋１００を摘まんで取り出すと、隣り合う袋１００から剥離した一枚の袋１００が取り出される。
【００５７】
そして、袋１００が取り出されると、付勢部材７９により付勢されている加圧軸７７は、一枚の袋１００の厚さ分だけ、溝７１ａに沿って軸５１に向かって移動する。このように、操作部６２を操作後、袋１００を取り出すたびに、上述した工程によって、加圧軸７７は、溝７１ａに沿って軸５１に近接する方向に移動する。
【００５８】
なお、袋１００をすべて取り出した後は、トレイ部４１を引き出して、積層した複数の袋１００を二つ折りにして保持部４２に保持させて、トレイ部４１を差し入れることで、袋１００を補充する。なお、袋１００を補充するときに、図４に示すように、加圧軸７７を溝７１ａの初期位置に移動させる方法としては、トレイ部４１の挿入時に所定の曲率半径で湾曲する複数の袋１００の折り返し部１５０によってグリップ部材７８を押圧して加圧軸７７を移動させてもよい。
【００５９】
また、例えば、天壁となる第１壁部２１を着脱可能とし、第１壁部２１を取り外して加圧軸７７を手によって押圧して初期位置に移動させてもよい。また、剥離装置１３を一対の第２壁部２２に設けるのではなく、トレイ部４１に設け、トレイ部４１を引き出したときに合わせて剥離装置１３を引き出して、加圧軸７７を手によって押圧して初期位置に移動させてもよい。さらに、第２壁部２２に溝７１ａと同形状の溝を設け、加圧ギア７５に第２壁部２２に設けた溝から外部に露出する操作レバーを設け、この操作レバーを操作することで、加圧軸７７を初期位置に移動させてもよい。
【００６０】
このように構成された袋収容ケース１は、軸５１及びグリップ部材７８により積層された複数の袋１００を狭持し、そして、グリップ部材７８を操作部６２の操作により回転させる構成とした。この構成により、剥離装置１３は、グリップ部材７８が回転したときにグリップ部材７８と当接する袋１００を移動させることで、移動させた袋１００を隣り合う袋１００から剥離させて浮かせることができる。よって、袋収容ケース１は、取り出し口３１から袋１００を取り出すときに、袋１００を摘まみやすくなるとともに、一枚の袋１００のみを取り出すことが可能となる。
【００６１】
また、剥離装置１３は、グリップ部材７８を付勢部材７９によって袋１００及び軸５１に向かって付勢するとともに、グリップ部材７８と袋１００との摩擦力を袋１００同士の摩擦力よりも大きく設定する。このため、グリップ部材７８が回転するときに移動する袋１００は表面の一枚となる。
【００６２】
また、剥離装置１３は、軸５１に向かって付勢する付勢部材７９を、袋１００が減少して軸５１にグリップ部材７８が近付くと、加圧軸７７を付勢する付勢部材７９の付勢力が減少する構成とした。これにより、袋１００の枚数が減ってきたときであっても、袋１００を一枚だけ剥離させることが可能となる。
【００６３】
上述したように本実施形態に係る袋収容ケース１によれば、剥離装置１３により積層された複数の袋１００から最外層の袋１００を剥離させることで、一枚の袋１００を好適に取り出せる。
【００６４】
なお、袋収容ケース１は上記実施形態に限定されない。例えば、剥離装置１３は、上述した構成に限定されない。例えば、図９に示す変形例のように、剥離装置１３は、さらに、ベルト７６の張力を保つことができる張力印加装置８０を備える構成であってもよい。張力印加装置８０は、例えば、調整ギア８１及び調整バネ８２を備える。調整ギア８１は、ベルト７６を操作ギア７３、従動ギア７４及び加圧ギア７５とともに支持する。また、調整ギア８１は、フレーム７１に移動可能に支持される。そして、調整バネ８２は、図９に矢印Ｍで示すように、付勢部材７９により加圧軸７７を付勢する方向と逆方向へ調整ギア８１を付勢する。加圧ギア７５が加圧軸７７とともに溝７１ａに沿って移動するときに、ベルト７６は、調整バネ８２によって所定の付勢力で付勢された調整ギア８１によって保持される。このため、張力印加装置８０は、加圧ギア７５が移動する際にも、ベルト７６のテンションを安定して保つことができる。
【００６５】
なお、加圧軸７７を介して付勢部材７９によって加圧ギア７５を付勢するばね力をαとし、調整バネ８２を介して調整ギア８１を付勢するばね力をβとし、付勢部材７９を二つ設けた場合には、２α＞βに設定される。
【００６６】
また、上述した例では、剥離装置１３を、袋１００の折り返し部１５０の下方に加圧軸７７を対向させる構成を説明したがこれに限定されず、例えば、剥離装置１３は、加圧軸７７が折り返し部１５０の上方に対向する構成であってもよい。
【００６７】
また、上述した例では、剥離装置１３は、付勢部材７９としてトーションバネを用いる構成を説明したが、コイルバネや板バネ等の他の構成であってもよい。また、グリップ部材７８は、ゴム材料により形成され、二つ設けられる構成を説明したがこれに限定されず、グリップ部材７８は、数量及び素材は適宜設定可能である。
【００６８】
また、上述した例では、剥離装置１３は、フレーム７１の溝７１ａ及び付勢部材７９によって、袋１００の残枚数に応じて加圧軸７７及びグリップ部材７８を軸５１に向かって移動させる構成を説明したがこれに限定されない。例えば、袋１００の残枚数に応じて軸５１をグリップ部材７８に向かって移動させる部材を設ける構成であってもよい。
【００６９】
また、上述した例では、第３壁部２３は、第１傾斜部３２及び第２傾斜部３３を有する構成を説明したがこれに限定されない。例えば、図１０に示すように、第３壁部２３は、第１傾斜部３２及び第２傾斜部３３を有さず、第１壁部２１及び第２壁部２２と直交する平面状に形成されていてもよい。
【００７０】
以上述べた少なくともひとつの実施形態の袋収容ケースによれば、剥離装置により積層された複数の袋から最外層の袋を剥離させることで、一枚の袋を好適に取り出せる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…袋収容ケース、１１…筐体、１２…保持具、１３…剥離装置、２１…第１壁部、２２…第２壁部、２３…第３壁部、２３ａ…開口、２３ｂ…凹部、３１…取り出し口、３１ａ…第１開口、３１ｂ…第２開口、３２…第１傾斜部、３３…第２傾斜部、４１…トレイ部、４２…保持部、４３…案内部、４３ａ…小片、５１…軸、５２…支持板、５３…吊り部、５３ａ…筒状部、５３ｂ…フランジ、５４…調整部材、６１…剥離機構、６２…操作部、７１…フレーム、７１ａ…溝、７２…回転軸、７２ａ…ピン、７３…操作ギア、７４…従動ギア、７５…加圧ギア、７６…ベルト、７７…加圧軸、７７ａ…ピン、７８…グリップ部材、７９…付勢部材、８０…張力印加装置、８１…調整ギア、８２…調整バネ、１００…袋、１１１…本体部分、１１２…持ち手、１１３…吊り下げ部、１１３ａ…孔、１５０…折り返し部。
【図１】
2020202950.tif 000003
【図２】
2020202950.tif 000004
【図３】
2020202950.tif 000005
【図４】
2020202950.tif 000006
【図５】
2020202950.tif 000007
【図６】
2020202950.tif 000008
【図７】
2020202950.tif 000009
【図８】
2020202950.tif 000010
【図９】
2020202950.tif 000011
【図１０】
2020202950.tif 000012